(57)【要約】  基地局と中継局との間にＲＬＦが発生した場合でも中継局配下の移動局が無線通信を継続することを課題とする。この課題を解決するため、中継局が基地局と移動局との無線通信を中継する無線通信システムであって、中継局は、取得部と通知部とを備える。取得部は、無線通信に用いられる移動局の情報を保持する基地局から基地局の識別情報を取得する。通知部は、取得部により取得された識別情報を移動局へ通知する。また、移動局は、再接続部を備える。再接続部は、中継局との接続が解放される場合に、中継局により通知された識別情報で識別される基地局に対して再接続要求を行う。
2012095966.tif 000002
【特許請求の範囲】
【請求項１】
中継局が基地局と移動局との無線通信を中継する無線通信システムであって、
前記中継局は、
前記無線通信に用いられる前記移動局の情報を保持する前記基地局から前記基地局の識別情報を取得する取得部と、
前記取得部により取得された前記識別情報を前記移動局へ通知する通知部とを備え、
前記移動局は、
前記中継局との接続が解放される場合に、前記中継局により通知された前記識別情報で識別される前記基地局に対して再接続処理を行う再接続部を備えたことを特徴とする無線通信システム。
【請求項２】
前記中継局は、前記基地局との無線リンクの障害を検出する検出部をさらに備え、
前記通知部は、前記検出部により前記基地局との無線リンクの障害が検出された場合に、前記中継局との接続を解放する旨を前記移動局に対して指示する接続解放指示に前記識別情報を含めて前記移動局へ通知することを特徴とする請求項１に記載の無線通信システム。
【請求項３】
前記通知部は、前記移動局と前記中継局との接続が確立された場合に、確立された当該接続を通じて前記識別情報を前記移動局へ通知することを特徴とする請求項１に記載の無線通信システム。
【請求項４】
前記無線通信に用いられる前記移動局の情報を保持する前記基地局は、
前記移動局の情報を前記基地局に隣接する他の基地局である隣接基地局へ通知する情報通知部を備え、
前記再接続部は、前記中継局により前記識別情報を通知される前に前記中継局との接続が解放される場合には、前記基地局のセルおよび前記基地局により前記移動局の情報を通知された前記隣接基地局のセルから所定品質を満足するセルを再選択し、再選択したセルを形成する基地局に対して再接続処理を行うことを特徴とする請求項１に記載の無線通信システム。
【請求項５】
前記基地局は、前記中継局との無線リンクの障害を検出する検出部をさらに備え、
前記情報通知部は、前記検出部により前記中継局との無線リンクの障害が検出された場合に、前記移動局との再接続の準備を前記隣接基地局に対して指示する再接続準備指示に前記移動局の情報を含めて前記隣接基地局へ通知することを特徴とする請求項４に記載の無線通信システム。
【請求項６】
前記情報通知部は、前記基地局と前記隣接基地局との接続が確立された場合に、確立された当該接続を通じて前記移動局の情報を前記隣接基地局へ通知することを特徴とする請求項４に記載の無線通信システム。
【請求項７】
基地局と移動局との無線通信を中継する中継局であって、
前記無線通信に用いられる前記移動局の情報を保持する前記基地局から前記基地局の識別情報を取得する取得部と、
前記取得部により取得した前記識別情報を、前記移動局により実行される再接続処理の実行先として前記移動局へ通知する通知部と
を備えたことを特徴とする中継局。
【請求項８】
中継局を介して移動局との無線通信を行う基地局であって、
前記中継局から取得される前記移動局の情報を記憶する記憶部と
前記記憶部に記憶された前記移動局の情報を前記基地局に隣接する他の基地局である隣接基地局へ通知する情報通知部と
を備えたことを特徴とする基地局。
【請求項９】
中継局が基地局と移動局との無線通信を中継する無線通信システムに適用される無線通信方法であって、
前記中継局が、前記無線通信に用いられる前記移動局の情報を保持する前記基地局から前記基地局の識別情報を取得し、
前記中継局が、取得された前記識別情報を前記移動局へ通知し、
前記移動局が、前記中継局との接続が解放される場合に、前記中継局により通知された前記識別情報で識別される前記基地局に対して再接続処理を行う
ことを特徴とする無線通信方法。
【請求項１０】
前記無線通信に用いられる前記移動局の情報を保持する前記基地局が、前記移動局の情報を前記基地局に隣接する他の基地局である隣接基地局へ通知し、
前記移動局が、前記中継局により前記識別情報を通知される前に前記中継局との接続が解放される場合には、前記基地局のセルおよび前記基地局により前記移動局の情報を通知された前記隣接基地局のセルから所定品質を満足するセルを再選択し、再選択したセルを形成する基地局に対して再接続要求を行うことを特徴とする請求項９に記載の無線通信方法。
【発明の詳細な説明】
【技術分野】
【０００１】
本発明は、無線通信システム、中継局、基地局および無線通信方法に関する。
【背景技術】
【０００２】
近年、より高速・大容量の無線通信を実現すべく、３ＧＰＰ（３rd  Generation  Partnership  Project）などの標準化会議において、無線通信方式の一つであるＬＴＥ（Long  Term  Evolution）を拡張したＬＴＥ−ａｄｖａｎｃｅｄの検討が行われている。ＬＴＥ−Ａｄｖａｎｃｅｄ方式を採用する無線通信システムでは、基地局のセルの境界などの不感地帯に中継局が設置され、該中継局が移動局と基地局との無線通信を中継することが予定されている。そして、無線リンクの品質劣化に起因して基地局と中継局との間に無線リンク障害（ＲＬＦ：Radio  Link  Failure）が発生すると、中継局配下の移動局は、所定品質を満足するセルを再選択し、再選択したセルを形成する基地局に対して再接続処理を行う。【０００３】
なお、基地局を中継局として用いる技術として以下のような従来技術も知られている。すなわち、上位ネットワークとのリンクが切断された場合に、基地局が移動局からの発信呼を隣接する他の基地局へ転送し、発信呼の転送を受けた他の基地局が移動局と上位ネットワークとの通信を中継する従来技術がある。
【先行技術文献】
【特許文献】
【０００４】
【特許文献１】特開２０００−５０３５９号公報
【発明の概要】
【発明が解決しようとする課題】
【０００５】
しかしながら、ＬＴＥ−Ａｄｖａｎｃｅｄ方式を採用する無線通信システムでは、基地局と中継局との間にＲＬＦが発生した場合に、中継局配下の移動局が無線通信を継続することができないことがあるという問題がある。【０００６】
具体的には、ＬＴＥ−Ａｄｖａｎｃｅｄ方式を採用する無線通信システムでは、基地局と中継局との間にＲＬＦが発生した場合に、移動局が所定品質を満足するセルを再選択し、再選択したセルを形成する基地局に対して再接続処理を行う。再接続処理を行う移動局は、中継局を介して通信していた基地局以外の他の基地局に対して再接続の要求を行うことがある。この場合、移動局から再接続の要求を受信した他の基地局は、移動局との無線通信を確立するために用いられる移動局の情報（ＵＥ  ｃｏｎｔｅｘｔ）を保持していない。ＬＴＥ−Ａｄｖａｎｃｅｄ方式では、移動局からの再接続要求を受信した基地局は、ＵＥ  ｃｏｎｔｅｘｔを保持している場合にのみ再接続要求に応じて移動局との再接続を許容することが規定されている。このため、ＵＥ  ｃｏｎｔｅｘｔを保持していない他の基地局は、移動局からの再接続要求を許容することができない。その結果、中継局配下の移動局は、他の基地局に対して新規の接続を試みる必要があり、元の基地局との間の無線通信を継続することができない。【０００７】
開示の技術は、上述した従来技術の課題を解決するためになされたものであり、基地局と中継局との間にＲＬＦが発生した場合でも中継局配下の移動局が無線通信を継続することができる無線通信システム等を提供することを目的とする。
【課題を解決するための手段】
【０００８】
本願の開示する無線通信システムは、一つの態様において、中継局が基地局と移動局との無線通信を中継する無線通信システムであって、前記中継局は、取得部と通知部とを備える。取得部は、前記無線通信に用いられる前記移動局の情報を保持する前記基地局から前記基地局の識別情報を取得する。通知部は、前記取得部により取得された前記識別情報を前記移動局へ通知する。また、前記移動局は、再接続部を備える。再接続部は、前記中継局との接続が解放される場合に、前記中継局により通知された前記識別情報で識別される前記基地局に対して再接続要求を行う。
【発明の効果】
【０００９】
本願の開示する無線通信システムの一つの態様によれば、中継局と基地局との間の無線通信が切断された場合でも基地局と移動局との無線通信を継続することができるという効果を奏する。
【図面の簡単な説明】
【００１０】
【図１】図１は、実施例１に係る無線通信システムの構成例を示す図である。
【図２】図２は、実施例１に係る無線通信システムの構成を示すブロック図である。
【図３】図３は、実施例１に係る無線通信システムによる再接続処理の処理手順を示すシーケンス図である。
【図４】図４は、実施例２に係る無線通信システムの構成を示すブロック図である。
【図５】図５は、実施例２に係る無線通信システムによる再接続処理の処理手順を示すシーケンス図である。
【図６】図６は、実施例３に係る無線通信システムの構成を示すブロック図である。
【図７】図７は、実施例３に係る無線通信システムによる再接続処理の処理手順を示すシーケンス図である。
【図８】図８は、実施例４に係る無線通信システムの構成を示すブロック図である。
【図９】図９は、実施例４に係る無線通信システムによる再接続処理の処理手順を示すシーケンス図である。
【発明を実施するための形態】
【００１１】
以下に、本願の開示する無線通信システム、中継局、基地局および無線通信方法の実施例を図面に基づいて詳細に説明する。なお、以下の実施例では、本願に開示する無線通信システム、中継局、基地局を無線通信方式としてＬＴＥ−Ａｄｖａｎｃｅｄ方式を採用する無線通信システム、中継局、基地局に適用する例について説明する。しかし、本願に開示する無線通信システム、中継局、基地局および無線通信方法は、ＬＴＥ―Ａｄｖａｎｃｅｄ方式以外の他のセルラ方式を採用した無線通信システムにも適用することができる。
【実施例１】
【００１２】
まず、図１を参照して、本実施例に係る無線通信システムの構成例を説明する。図１は、実施例１に係る無線通信システムの構成例を示す図である。同図に示すように、本実施例に係る無線通信システム１００は、基地局（ｅＮＢ：evolved  Node  B）１１０ａ〜１１０ｎと、中継局（ＲＮ：Relay  Node）１２０と、移動局（ＵＥ：User  Equipment）１３０と、ネットワーク１４０とを有する。【００１３】
ｅＮＢ１１０ａ〜１１０ｎは、所定の広さを有する無線通信領域であるセルを収容し、自局が収容するセル内に位置するＲＮ１２０やＵＥ１３０に対してＲａｄｉｏ  Ｌｉｎｋ（無線リンク）を提供する通信装置である。なお、ｅＮＢ１１０のうちＤｅＮＢ（Donor  evolved  Node  B）１１０ａは、ＲＮ１２０によりＵＥ１３０との無線通信を中継されるｅＮＢである。【００１４】
ＤｅＮＢ１１０ａは、自局が収容するセルの領域内に設置されたＲＮ１２０とＵＥ１３０とが無線通信を行う際、ネットワーク１４０とＲＮ１２０との通信経路となる。このとき、ＤｅＮＢ１１０ａは、自局とＵＥ１３０との無線通信に用いられるＵＥ１３０の設定情報（ＵＥ  ｃｏｎｔｅｘｔ）をＲＮ１２０から取得して所定の記憶部に保持する。【００１５】
ＲＮ１２０は、ＤｅＮＢ１１０ａによって収容されたセルの領域内に設置される無線通信装置である。ＲＮ１２０は、ＤｅＮＢ１１０ａとの間に無線リンクを確立するとともに自局が収容するセル内に位置するＵＥ１３０との間に無線リンクを確立し、これらの無線リンクを用いてネットワーク１４０とＵＥ１３０との無線通信を中継する。例えば、ＲＮ１２０は、ＤｅＮＢ１１０ａ〜ＵＥ１３０間で確立された無線リンクを用いてＤｅＮＢ１１０ａからＵＥ１３０へのデータや信号を中継する一方で、ＵＥ１３０からＤｅＮＢ１１０ａへのデータや信号を中継する。【００１６】
また、ＲＮ１２０は、ＤｅＮＢ１１０ａとの間に確立された無線リンクに障害（ＲＬＦ：Radio  Link  Failure）が発生した場合に、ＲＮ１２０との接続を解放する旨を指示する接続解放指示をＵＥ１３０に対して送信する。【００１７】
ＵＥ１３０は、移動可能な無線通信装置であり、例えば、携帯電話端末である。ネットワーク１４０は、大容量の広域ネットワークである。ＵＥ１３０は、自身が所在するセルを収容するＲＮ１２０を介してネットワーク１４０と通信を行う。また、ＵＥ１３０は、ＲＮ１２０により送信された接続解放指示を受信すると、ＲＮ１２０との無線リンクを解放し、ＲＮ１２０のセル以外のセルを再選択する。【００１８】
このような構成の下、本実施例に係る無線通信システムでは、ＲＮ１２０が、ＤｅＮＢ１１０ａからＤｅＮＢ１１０ａの識別情報を取得する。そして、ＲＮ１２０は、取得したＤｅＮＢ１１０ａの識別情報をＵＥ１３０へ通知する。【００１９】
そして、ＵＥ１３０は、ＲＮ１２０から送信された接続解放指示を受信した場合に、ＲＮ１２０により通知された識別情報で識別されるＤｅＮＢ１１０ａに対して再接続処理を行う。【００２０】
このように、本実施例に係る無線通信システム１００では、ＲＮ１２０が、ＤｅＮＢ１１０ａの識別情報をＵＥ１３０へ通知する。そして、ＵＥ１３０は、ＲＮ１２０との接続が解放される場合に、ＲＮ１２０により通知された識別情報で識別されるＤｅＮＢ１１０ａに対して再接続処理を行う。ＬＴＥ−Ａｄｖａｎｃｅｄ方式では、ＵＥからの再接続要求を受信したｅＮＢは、ＵＥ  ｃｏｎｔｅｘｔを保持している場合にのみ再接続要求に応じてＵＥとの無線通信の継続を許容することが規定されている。【００２１】
このため、無線通信システム１００では、ＵＥ１３０がＵＥ  ｃｏｎｔｅｘｔを保持するＤｅＮＢ１１０ａに対して再接続処理を行うことで、ＲＮ１２０とＤｅＮＢ１１０ａとの間にＲＬＦが発生した場合でもＵＥ１３０が無線通信を継続することができる。【００２２】
次に、実施例１に係る無線通信システム１００の詳細を説明する。図２は、実施例１に係る無線通信システム１００の構成を示すブロック図である。なお、図２では、図１に示したｅＮＢ１１０ａ〜１１０ｎのうち代表例としてＤｅＮＢ１１０ａの構成を示したがＤｅＮＢ１１０ａ以外の他のｅＮＢもＤｅＮＢ１１０ａと同様の構成を有するものとする。図２に示すように、実施例１に係る無線通信システム１００は、ＤｅＮＢ１１０ａと、ＲＮ１２０と、ＵＥ１３０とを有する。【００２３】
図２に示したＲＮ１２０は、無線通信部１２１と、制御部１２２と、ＤｅＮＢ情報記憶部１２３とを有する。無線通信部１２１は、ＤｅＮＢ１１０ａとＵＥ１３０との無線通信を中継する通信部である。具体的には、無線通信部１２１は、ＤｅＮＢ１１０ａとの間に無線リンクを確立するとともに自局が収容するセル内に位置するＵＥ１３０との間に無線リンクを確立し、これらの無線リンクを用いてＤｅＮＢ１１０ａとＵＥ１３０との無線通信を中継する。なお、制御部１２２は、実際には無線通信部１２１を介してＤｅＮＢ１１０ａやＵＥ１３０と信号の送受信を行う。ただし、以下では説明の都合上、制御部１２２がＤｅＮＢ１１０ａやＵＥ１３０と直接信号の送受信を行っているように説明する場合がある。【００２４】
制御部１２２は、各種の処理手順などを規定したプログラムおよび所要データを格納するための内部メモリを有し、これらによって種々の処理を実行する。特に、制御部１２２は、取得部１２２ａと、検出部１２２ｂと、通知部１２２ｃとを有する。【００２５】
取得部１２２ａは、ＤｅＮＢ１１０ａからＤｅＮＢ１１０ａの識別情報を取得する。具体的には、取得部１２２ａは、ＤｅＮＢ１１０ａとＲＮ１２０との間に無線リンクが確立されると、ＤｅＮＢ１１０ａの識別情報の送信を要求する識別情報送信要求信号をＤｅＮＢ１１０ａに対して送信する。そして、取得部１２２ａは、識別情報送信要求信号に応じてＤｅＮＢ１１０ａから送信されるＤｅＮＢ１１０ａの識別情報を無線リンクを通じて取得する。ＤｅＮＢ１１０ａの識別情報は、例えば、ＤｅＮＢ１１０ａのＰＣＩ（Physical  Cell  Identity）である。取得部１２２ａにより取得されたＤｅＮＢ１１０ａの識別情報は、ＤｅＮＢ情報記憶部１２３に記憶される。【００２６】
検出部１２２ｂは、ＤｅＮＢ１１０ａとＲＮ１２０との間に確立された無線リンクのＲＬＦを検出する。例えば、検出部１２２ｂは、ＤｅＮＢ１１０ａから受信した信号の受信品質を監視し、受信品質が所定値以下となった場合に、ＤｅＮＢ１１０ａとＲＮ１２０との間に確立された無線リンクのＲＬＦを検出する。なお、受信品質には、例えば参照信号の受信パワーなどが含まれる。【００２７】
通知部１２２ｃは、取得部１２２ａによりＤｅＮＢ情報記憶部１２３に記憶されたＤｅＮＢ１１０ａの識別情報をＵＥ１３０へ通知する。具体的には、通知部１２２ｃは、検出部１２２ｂによりＤｅＮＢ１１０ａとの無線リンクのＲＬＦが検出された場合に、ＲＮ１２０との接続を解放する旨をＵＥ１３０に指示するＣｏｎｎｅｃｔｉｏｎ  Ｒｅｌｅａｓｅ信号を生成する。そして、通知部１２２ｃは、生成したＣｏｎｎｅｃｔｉｏｎ  Ｒｅｌｅａｓｅ信号にＤｅＮＢ情報記憶部１２３に記憶されたＤｅＮＢ１１０ａの識別情報を含めてＵＥ１３０へ通知する。なお、通知部１２２ｃは、ＤｅＮＢ情報記憶部１２３にＤｅＮＢの識別情報が記憶されていない場合には、生成したＣｏｎｎｅｃｔｉｏｎ  Ｒｅｌｅａｓｅ信号をＵＥ１３０へ通知する。【００２８】
ＤｅＮＢ情報記憶部１２３は、取得部１２２ａにより取得されたＤｅＮＢ１１０ａの識別情報を記憶する。【００２９】
図２に示したＵＥ１３０は、無線通信部１３１と、制御部１３２と、ＵＥコンテキスト記憶部１３３とを有する。無線通信部１３１は、ＤｅＮＢ１１０ａやＲＮ１２０との無線通信を行う通信部である。具体的には、無線通信部１３１は、ＲＮ１２０との間に無線リンクを確立し、この無線リンクを用いてＲＮ１２０との無線通信を行う。例えば、無線通信部１３１は、ＲＮ１２０との接続を解放する旨をＵＥ１３０に指示するＣｏｎｎｅｃｔｉｏｎ  Ｒｅｌｅａｓｅ信号をＲＮ１２０から受信する。【００３０】
また、無線通信部１３１は、ＤｅＮＢ１１０ａ宛ての信号を送信する。ＤｅＮＢ１１０ａ宛ての信号は、例えば、ＤｅＮＢ１１０ａに対して再接続を要求するＣｏｎｎｅｃｔｉｏｎ  Ｒｅ−ｅｓｔａｂｌｉｓｈｍｅｎｔ  Ｒｅｑｕｅｓｔ信号などである。また、無線通信部１３１は、ＤｅＮＢ１１０ａからの信号を受信する。ＤｅＮＢ１１０ａからの信号は、例えば、ＵＥ１３０との再接続を許容するＣｏｎｎｅｃｔｉｏｎ  Ｒｅ−ｅｓｔａｂｌｉｓｈｍｅｎｔ信号などである。【００３１】
なお、制御部１３２は、実際には無線通信部１３１を介してＲＮ１２０やＤｅＮＢ１１０ａと信号の送受信を行うものである。ただし、以下では説明の都合上、制御部１３２が、ＲＮ１２０やＤｅＮＢ１１０ａと直接信号の送受信を行っているように説明する場合がある。【００３２】
制御部１３２は、各種の処理手順などを規定したプログラムおよび所要データを格納するための内部メモリを有し、これらによって種々の処理を実行する。特に、制御部１３２は、受信信号判断部１３２ａと、再接続部１３２ｂとを有する。【００３３】
受信信号判断部１３２ａは、無線通信部１３１によって受信された信号が所定の信号であるか否かを判断し、その判断結果を再接続部１３２ｂへ通知する。例えば、受信信号判断部１３２ａは、無線通信部１３１によって受信された信号がＲＮ１２０との接続を解放する旨をＵＥ１３０に指示するＣｏｎｎｅｃｔｉｏｎ  Ｒｅｌｅａｓｅ信号であるか否かを判断し、その判断結果を再接続部１３２ｂへ通知する。また、例えば、受信信号判断部１３２ａは、無線通信部１３１によって受信された信号がＵＥ１３０との再接続を許容するＣｏｎｎｅｃｔｉｏｎ  Ｒｅ−ｅｓｔａｂｌｉｓｈｍｅｎｔ信号であるか否かを判断し、その判断結果を再接続部１３２ｂへ通知する。【００３４】
再接続部１３２ｂは、ＵＥ１３０とＲＮ１２０との接続が解放される場合に、ＲＮ１２０により通知された識別情報で識別されるＤｅＮＢ１１０ａに対して再接続処理を行う。具体的には、再接続部１３２ｂは、受信信号判断部１３２ａによる判断結果を受信する。そして、再接続部１３２ｂは、無線通信部１３１によりＣｏｎｎｅｃｔｉｏｎ  Ｒｅｌｅａｓｅ信号が受信された旨の判断結果を受信すると、該Ｃｏｎｎｅｃｔｉｏｎ  Ｒｅｌｅａｓｅ信号にＤｅＮＢ１１０ａの識別情報が含まれているか否かを判定する。そして、再接続部１３２ｂは、Ｃｏｎｎｅｃｔｉｏｎ  Ｒｅｌｅａｓｅ信号に識別情報が含まれている場合には、該識別情報で識別されるＤｅＮＢ１１０ａに対して再接続を要求するＣｏｎｎｅｃｔｉｏｎ  Ｒｅ−ｅｓｔａｂｌｉｓｈｍｅｎｔ  Ｒｅｑｕｅｓｔ信号を生成する。そして、再接続部１３２ｂは、ＵＥコンテキスト記憶部１３３に記憶されたＵＥ  ｃｏｎｔｅｘｔを含めたＣｏｎｎｅｃｔｉｏｎ  Ｒｅ−ｅｓｔａｂｌｉｓｈｍｅｎｔ  Ｒｑｕｅｓｔ信号をＤｅＮＢ１１０ａに対して送信する。そして、再接続部１３２ｂは、Ｃｏｎｎｅｃｔｉｏｎ  Ｒｅ−ｅｓｔａｂｌｉｓｈｍｅｎｔ  Ｒｑｕｅｓｔ信号に応じたＣｏｎｎｅｃｔｉｏｎ  Ｒｅ−ｅｓｔａｂｌｉｓｈｍｅｎｔ信号をＤｅＮＢ１１０ａから受信する。すると、再接続部１３２ｂは、ＤｅＮＢ１１０ａとの再接続の完了を示すＣｏｎｎｎｅｃｔｉｏｎ  Ｒｅ−ｅｓｔａｂｌｉｓｈｍｅｎｔ  Ｃｏｍｐｌｅｔｅ信号をＤｅＮＢ１１０ａに対して送信する。これにより、ＵＥ１３０とＤｅＮＢ１１０ａとの再接続が成功し、ＵＥ１３０はＤｅＮＢ１１０ａとの無線通信を継続することができる。【００３５】
なお、再接続部１３２ｂは、Ｃｏｎｎｅｃｔｉｏｎ  Ｒｅｌｅａｓｅ信号に識別情報が含まれていない場合には、所定品質を満足するセルを再選択するセル再選択処理を行う。例えば、再接続部１３２ｂは、セル再選択処理において、ｅＮＢ１１０ａ〜１１０ｂにより形成されるセルから送信電波の強度が所定値以上であるセルを再選択する。そして、再接続部１３２ｂは、セル再選択処理により再選択されたセルを形成するｅＮＢに対して再接続を要求するＣｏｎｎｅｃｔｉｏｎ  Ｒｅ−ｅｓｔａｂｌｉｓｈｍｅｎｔ  Ｒｑｕｅｓｔ信号を生成する。そして、再接続部１３２ｂは、ＵＥコンテキスト記憶部１３３に記憶されたＵＥ  ｃｏｎｔｅｘｔを含めたＣｏｎｎｅｃｔｉｏｎ  Ｒｅ−ｅｓｔａｂｌｉｓｈｍｅｎｔ  Ｒｅｑｕｅｓｔ信号を、再選択されたセルを形成するｅＮＢに対して送信する。【００３６】
ＵＥコンテキスト記憶部１３３は、ＵＥ１３０のＵＥ  ｃｏｎｔｅｘｔを記憶する。ＵＥ  ｃｏｎｔｅｘｔは、ＵＥ１３０を一意に識別するための識別情報であり、例えば、ＵＥ１３０に対して現在設定されている無線リンクに関する情報や、ＵＥ１３０の無線測定に関わるパラメータ情報など、ＵＥ１３０の種々の設定情報を含む。【００３７】
図２に示したＤｅＮＢ１１０ａは、無線通信部１１１と、制御部１１２と、ＤｅＮＢ情報記憶部１１３と、ＵＥコンテキスト記憶部１１４とを有する。無線通信部１１１は、ＲＮ１２０やＵＥ１３０との無線通信を行う通信部である。具体的には、無線通信部１１１は、ＲＮ１２０との間に無線リンクを確立し、この無線リンクを用いてＲＮ１２０やＵＥ１３０との無線通信を行う。【００３８】
また、無線通信部１１１は、ＵＥ１３０宛ての信号を送信する。ＵＥ１３０宛ての信号は、例えば、ＵＥ１３０との再接続を許容するＣｏｎｎｅｃｔｉｏｎ  Ｒｅ−ｅｓｔａｂｌｉｓｈｍｅｎｔ信号などである。また、無線通信部１１１は、ＵＥ１３０からの信号を受信する。ＵＥ１３０からの信号は、例えば、ＤｅＮＢ１１０ａに対して再接続を要求するＣｏｎｎｅｃｔｉｏｎ  Ｒｅ−ｅｓｔａｂｌｉｓｈｍｅｎｔ  Ｒｅｑｕｅｓｔ信号などである。【００３９】
なお、制御部１１２は、実際には無線通信部１１１を介してＲＮ１２０やＵＥ１３０と信号の送受信を行うものである。ただし、以下では説明の都合上、制御部１１２が、ＲＮ１２０やＵＥ１３０と直接信号の送受信を行っているように説明する場合がある。【００４０】
制御部１１２は、各種の処理手順などを規定したプログラムおよび所要データを格納するための内部メモリを有し、これらによって種々の処理を実行する。特に、制御部１１２は、ＤｅＮＢ情報管理部１１２ａと、再接続決定部１１２ｂとを有する。【００４１】
ＤｅＮＢ情報管理部１１２ａは、ＤｅＮＢ情報記憶部１１３に記憶されたＤｅＮＢ１１０ａの識別情報を管理する。具体的には、ＤｅＮＢ情報管理部１１２ａは、ＲＮ１２０から識別情報送信要求信号を受信すると、ＤｅＮＢ情報記憶部１１３に記憶されたＤｅＮＢ１１０ａの識別情報を読み出してＲＮ１２０に対して送信する。【００４２】
再接続決定部１１２ｂは、ＵＥ１３０との再接続を許容するか否かを決定する。具体的には、再接続決定部１１２ｂは、Ｃｏｎｎｅｃｔｉｏｎ  Ｒｅ−ｅｓｔａｂｌｉｓｈｍｅｎｔ  Ｒｅｑｕｅｓｔ信号を受信すると、受信した信号に含まれるＵＥ  ｃｏｎｔｅｘｔがＵＥコンテキスト記憶部１１４に記憶されているか否かを確認する。そして、記憶されていた場合には、再接続決定部１１２ｂは、ＵＥ１３０との再接続を許容することを決定し、その旨を示すＣｏｎｎｅｃｔｉｏｎ  Ｒｅ−ｅｓｔａｂｌｉｓｈｍｅｎｔ信号をＵＥ１３０に対して送信する。本実施例では、ＤｅＮＢ１１０ａは、ＵＥ  ｃｏｎｔｅｘｔをＲＮ１２０を介してＵＥ１３０から取得してＵＥコンテキスト記憶部１１４に保持している。このため、Ｃｏｎｎｅｃｔｉｏｎ  Ｒｅ−ｅｓｔａｂｌｉｓｈｍｅｎｔ  Ｒｅｑｕｅｓｔ信号に含まれるＵＥ  ｃｏｎｔｅｘｔがＵＥコンテキスト記憶部１１４に記憶されている。したがって、再接続決定部１１２ｂは、Ｃｏｎｎｅｃｔｉｏｎ  Ｒｅ−ｅｓｔａｂｌｉｓｈｍｅｎｔ信号をＵＥ１３０に対して送信する。【００４３】
なお、受信したＣｏｎｎｅｃｔｉｏｎ  Ｒｅ−ｅｓｔａｂｌｉｓｈｍｅｎｔ  Ｒｅｑｕｅｓｔ信号に含まれるＵＥ  ｃｏｎｔｅｘｔがＵＥコンテキスト記憶部１１４に記憶されていなかった場合には、再接続決定部１１２ｂは、次の処理を行う。すなわち、再接続決定部１１２ｂは、ＵＥ１３０の再接続を拒否することを決定し、その旨を示すＣｏｎｎｅｃｔｉｏｎ  Ｒｅ−ｅｓｔａｂｌｉｓｈｍｅｎｔ  Ｒｅｊｅｃｔ信号をＵＥ１３０に対して送信する。【００４４】
ＤｅＮＢ情報記憶部１１３は、ＤｅＮＢ１１０ａの識別情報を記憶する。ＵＥコンテキスト記憶部１１４は、ＵＥ１３０のＵＥ  ｃｏｎｔｅｘｔを記憶する。本実施例では、ＵＥコンテキスト記憶部１１４に記憶されたＵＥ  ｃｏｎｔｅｘｔは、ＤｅＮＢ１１０ａがＲＮ１２０を介してＵＥ１３０から取得したＵＥ  ｃｏｎｔｅｘｔである。【００４５】
次に、実施例１に係る無線通信システム１００による再接続処理の流れを説明する。図３は、実施例１に係る無線通信システム１００による再接続処理の処理手順を示すシーケンス図である。なお、図３に示す例は、ＵＥ１３０とＲＮ１２０との間でＲａｄｉｏ  Ｌｉｎｋ（無線リンク）＃１が確立されており、ＲＮ１２０とＤｅＮＢ１１０ａとの間でＲａｄｉｏ  Ｌｉｎｋ（無線リンク）＃２が確立されている状態を示す。【００４６】
図３に示すように、ＤｅＮＢ１１０ａは、ＵＥ  ｃｏｎｔｅｘｔをＲＮ１２０から取得してＵＥコンテキスト記憶部１１４に保持している（ステップＳ１０１）。ＲＮ１２０は識別情報送信要求信号をＤｅＮＢ１１０ａに対して送信する。【００４７】
そして、ＲＮ１２０は、識別情報送信要求信号に応じてＤｅＮＢ１１０ａから送信されるＤｅＮＢ１１０ａの識別情報を無線リンク＃２を通じて取得する（ステップＳ１０２）。取得されたＤｅＮＢ１１０ａの識別情報は、ＤｅＮＢ情報記憶部１２３に記憶される。【００４８】
続いて、ＲＮ１２０は、ＤｅＮＢ１１０ａとＲＮ１２０との間に確立された無線リンク＃２のＲＬＦを検出する（ステップＳ１０３）。ＲＮ１２０は、無線リンク＃２のＲＬＦが検出されない場合には（ステップＳ１０３否定）、無線リンク＃１および無線リンク＃２を用いてＤｅＮＢ１１０ａとＵＥ１３０との無線通信の中継を継続する。【００４９】
一方、ＲＮ１２０は、無線リンク＃２のＲＬＦが検出された場合には（ステップＳ１０３肯定）、ＲＮ１２０との接続を解放する旨をＵＥ１３０に指示するＣｏｎｎｅｃｔｉｏｎ  Ｒｅｌｅａｓｅ信号を生成する。そして、ＲＮ１２０は、生成したＣｏｎｎｅｃｔｉｏｎ  Ｒｅｌｅａｓｅ信号にＤｅＮＢ情報記憶部１２３に記憶されたＤｅＮＢ１１０ａの識別情報を含めてＵＥ１３０へ通知する（ステップＳ１０４）。【００５０】
続いて、ＵＥ１３０は、受信したＣｏｎｎｅｃｔｉｏｎ  Ｒｅｌｅａｓｅ信号に含まれる識別情報で識別されるＤｅＮＢ１１０ａに対して再接続を要求するＣｏｎｎｅｃｔｉｏｎ  Ｒｅ−ｅｓｔａｂｌｉｓｈｍｅｎｔ  Ｒｅｑｕｅｓｔ信号を生成する。そして、ＵＥ１３０は、ＵＥコンテキスト記憶部１３３に記憶されたＵＥ  ｃｏｎｔｅｘｔを含めたＣｏｎｎｅｃｔｉｏｎ  Ｒｅ−ｅｓｔａｂｌｉｓｈｍｅｎｔ  Ｒｑｕｅｓｔ信号をＤｅＮＢ１１０ａに対して送信する（ステップＳ１０５）。【００５１】
続いて、ＤｅＮＢ１１０ａは、受信したＣｏｎｎｅｃｔｉｏｎ  Ｒｅ−ｅｓｔａｂｌｉｓｈｍｅｎｔ  Ｒｅｑｕｅｓｔ信号に含まれるＵＥ  ｃｏｎｔｅｘｔがＵＥコンテキスト記憶部１１４に記憶されているため、以下の処理を実行する。すなわち、ＤｅＮＢ１１０ａは、ＵＥ１３０との再接続を許容することを決定し、その旨を示すＣｏｎｎｅｃｔｉｏｎ  Ｒｅ−ｅｓｔａｂｌｉｓｈｍｅｎｔ信号をＵＥ１３０に対して送信する（ステップＳ１０６）。【００５２】
続いて、ＵＥ１３０は、Ｃｏｎｎｅｃｔｉｏｎ  Ｒｅ−ｅｓｔａｂｌｉｓｈｍｅｎｔ信号を受信すると、Ｃｏｎｎｅｃｔｉｏｎ  Ｒｅ−ｅｓｔａｂｌｉｓｈｍｅｎｔ  Ｃｏｍｐｌｅｔｅ信号をＤｅＮＢ１１０ａに対して送信する（ステップＳ１０７）。これにより、ＤｅＮＢ１１０ａとＵＥ１３０との間にＲａｄｉｏ  Ｌｉｎｋ（無線リンク）＃３が設定され、ＵＥ１３０とＤｅＮＢ１１０ａとの再接続が成功する。【００５３】
上述してきたように、本実施例１では、ＲＮ１２０が、ＵＥ１３０との無線通信に用いられるＵＥ  ｃｏｎｔｅｘｔを保持するＤｅＮＢ１１０ａの識別情報をＵＥ１３０へ通知する。そして、ＵＥ１３０は、ＲＮ１２０との接続が解放される場合に、ＲＮ１２０により通知された識別情報で識別されるＤｅＮＢ１１０ａに対して再接続処理を行う。ＬＴＥ−Ａｄｖａｎｃｅｄ方式では、ＵＥからの再接続要求を受信したｅＮＢは、ＵＥ  ｃｏｎｔｅｘｔを保持している場合にのみ再接続要求に応じてＵＥとの無線通信の継続を許容することが規定されている。このため、本実施例１によれば、ＵＥ１３０がＵＥ  ｃｏｎｔｅｘｔを保持するＤｅＮＢ１１０ａに対して再接続処理を行うことで、ＲＮ１２０とＤｅＮＢ１１０ａとの間にＲＬＦが発生した場合でもＵＥ１３０が無線通信を継続することができる。【００５４】
また、本実施例１では、通知部１２２ｃは、ＤｅＮＢ１１０ａとの無線リンクのＲＬＦが検出された場合に、Ｃｏｎｎｅｃｔｉｏｎ  Ｒｅｌｅａｓｅ信号にＤｅＮＢ１１０ａの識別情報を含めてＵＥ１３０へ通知する。このため、本実施例１によれば、ＲＮ１２０との接続を解放する際に用いられる既存のＣｏｎｎｅｃｔｉｏｎ  Ｒｅｌｅａｓｅ信号を用いてＤｅＮＢ１１０ａの識別情報をＵＥ１３０に効率的に通知することができる。
【実施例２】
【００５５】
上記実施例１では、ＲＮ１２０とＤｅＮＢ１１０ａの無線リンクにＲＬＦが発生した場合に、ＲＮ１２０がＣｏｎｎｅｃｔｉｏｎ  Ｒｅｌｅａｓｅ信号にＤｅＮＢ１１０ａの識別情報を含めてＵＥ１３０へ通知する場合について説明した。しかし、ＲＮ１２０とＤｅＮＢ１１０ａの無線リンクにＲＬＦが発生する時点よりも前にＲＮ１２０がＤｅＮＢ１１０ａの識別情報をＵＥ１３０へ予め通知するようにしてもよい。そこで、以下では、このような例を実施例２として説明する。【００５６】
図４は、実施例２に係る無線通信システム２００の構成を示すブロック図である。なお、ここでは、図２に示した各部と同様の役割を果たす機能部については、同一の符号を付すこととしてその詳細な説明を省略する。図４に示すように、実施例２に係る無線通信システム２００は、ＤｅＮＢ１１０ａと、ＲＮ２２０と、ＵＥ２３０とを有する。【００５７】
図４に示したＲＮ２２０は、無線通信部１２１と、制御部２２２と、ＤｅＮＢ情報記憶部１２３とを有する。制御部２２２は、取得部１２２ａと、検出部１２２ｂと、通知部２２２ｃとを有する。【００５８】
通知部２２２ｃは、ＵＥ２３０とＲＮ２２０との接続が確立された場合に、ＤｅＮＢ情報記憶部１２３に記憶されたＤｅＮＢ１１０ａの識別情報をＵＥ２３０へ通知する。具体的には、通知部２２２ｃは、無線通信部１２１によりＵＥ２３０との間に無線リンクが確立されると、確立された無線リンクを用いてＤｅＮＢ１１０ａの識別情報をＵＥ２３０へ通知する。【００５９】
また、通知部２２２ｃは、検出部１２２ｂによりＤｅＮＢ１１０ａとの無線リンクのＲＬＦが検出された場合に、ＲＮ２２０との接続を解放する旨をＵＥ２３０に指示するＣｏｎｎｅｃｔｉｏｎ  Ｒｅｌｅａｓｅ信号を生成してＵＥ２３０へ通知する。【００６０】
図４に示したＵＥ２３０は、無線通信部１３１と、制御部２３２と、ＵＥコンテキスト記憶部１３３とを有する。制御部２３２は、受信信号判断部１３２ａと、再接続部２３２ｂとを有する。【００６１】
再接続部２３２ｂは、ＲＮ２２０により通知されたＤｅＮＢ１１０ａの識別情報を受信し、受信したＤｅＮＢ１１０ａの識別情報を内部のメモリに記憶する。【００６２】
また、再接続部２３２ｂは、受信信号判断部１３２ａによる判断結果を受信する。そして、再接続部２３２ｂは、無線通信部１３１によりＣｏｎｎｅｃｔｉｏｎ  Ｒｅｌｅａｓｅ信号が受信された旨の判断結果を受信すると、以下の処理を行う。すなわち、再接続部２３２ｂは、内部のメモリに記憶された識別情報で識別されるＤｅＮＢ１１０ａに対して再接続を要求するＣｏｎｎｅｃｔｉｏｎ  Ｒｅ−ｅｓｔａｂｌｉｓｈｍｅｎｔ  Ｒｅｑｕｅｓｔ信号を生成する。そして、再接続部２３２ｂは、ＵＥコンテキスト記憶部１３３に記憶されたＵＥ  ｃｏｎｔｅｘｔを含めたＣｏｎｎｅｃｔｉｏｎ  Ｒｅ−ｅｓｔａｂｌｉｓｈｍｅｎｔ  Ｒｅｑｕｅｓｔ信号をＤｅＮＢ１１０ａに対して送信する。そして、再接続部２３２ｂは、Ｃｏｎｎｅｃｔｉｏｎ  Ｒｅ−ｅｓｔａｂｌｉｓｈｍｅｎｔ  Ｒｅｑｕｅｓｔに応じたＣｏｎｎｅｃｔｉｏｎ  Ｒｅ−ｅｓｔａｂｌｉｓｈｍｅｎｔ信号をＤｅＮＢ１１０ａから受信する。すると、再接続部２３２ｂは、ＤｅＮＢ１１０ａとの再接続の完了を示すＣｏｎｎｎｅｃｔｉｏｎ  Ｒｅ−ｅｓｔａｂｌｉｓｈｍｅｎｔ  Ｃｏｍｐｌｅｔｅ信号をＤｅＮＢ１１０ａに対して送信する。これにより、ＵＥ２３０とＤｅＮＢ１１０ａとの再接続が成功し、ＵＥ２３０はＤｅＮＢ１１０ａとの無線通信を継続することができる。【００６３】
なお、再接続部２３２ｂは、内部のメモリに識別情報が記憶されていない場合には、所定品質を満足するセルを再選択するセル再選択処理を行う。例えば、再接続部２３２ｂは、セル再選択処理において、ｅＮＢ１１０ａ〜１１０ｂにより形成されるセルから送信電波の強度が所定値以上であるセルを再選択する。そして、再接続部２３２ｂは、セル再選択処理により再選択されたセルを形成するｅＮＢに対して再接続を要求するＣｏｎｎｅｃｔｉｏｎ  Ｒｅ−ｅｓｔａｂｌｉｓｈｍｅｎｔ  Ｒｑｕｅｓｔ信号を生成する。そして、再接続部２３２ｂは、ＵＥコンテキスト記憶部１３３に記憶されたＵＥ  ｃｏｎｔｅｘｔを含めたＣｏｎｎｅｃｔｉｏｎ  Ｒｅ−ｅｓｔａｂｌｉｓｈｍｅｎｔ  Ｒｅｑｕｅｓｔ信号を、再選択されたセルを形成するｅＮＢに対して送信する。【００６４】
次に、実施例２に係る無線通信システム２００による再接続処理の流れを説明する。図５は、実施例２に係る無線通信システム２００による再接続処理の処理手順を示すシーケンス図である。なお、図５に示す例は、ＵＥ２３０とＲＮ２２０との間でＲａｄｉｏ  Ｌｉｎｋ（無線リンク）＃１が確立されており、ＲＮ２２０とＤｅＮＢ１１０ａとの間でＲａｄｉｏ  Ｌｉｎｋ（無線リンク）＃２が確立されている状態を示す。【００６５】
図５に示すように、ＤｅＮＢ１１０ａは、ＵＥ  ｃｏｎｔｅｘｔをＲＮ２２０から取得してＵＥコンテキスト記憶部１１４に保持している（ステップＳ２０１）。ＲＮ２２０は識別情報送信要求信号をＤｅＮＢ１１０ａに対して送信する。【００６６】
そして、ＲＮ２２０は、識別情報送信要求信号に応じてＤｅＮＢ１１０ａから送信されるＤｅＮＢ１１０ａの識別情報を無線リンク＃２を通じて取得する（ステップＳ２０２）。取得されたＤｅＮＢ１１０ａの識別情報は、ＤｅＮＢ情報記憶部１２３に記憶される。【００６７】
続いて、ＲＮ２２０は、ＵＥ２３０との間に無線リンク＃１が確立されると、確立された無線リンク＃１を用いてＤｅＮＢ１１０ａの識別情報をＵＥ２３０へ通知する（ステップＳ２０３）。そして、ＲＮ２２０により通知されたＤｅＮＢ１１０ａの識別情報を受信したＵＥ２３０は、受信したＤｅＮＢ１１０ａの識別情報を内部のメモリに記憶する。【００６８】
続いて、ＲＮ２２０は、ＤｅＮＢ１１０ａとＲＮ２２０との間に確立された無線リンク＃２のＲＬＦを検出する（ステップＳ２０４）。ＲＮ２２０は、無線リンク＃２のＲＬＦが検出されない場合には（ステップＳ２０４否定）、無線リンク＃１および無線リンク＃２を用いてＤｅＮＢ１１０ａとＵＥ２３０との無線通信の中継を継続する。【００６９】
一方、ＲＮ２２０は、無線リンク＃２のＲＬＦが検出された場合には（ステップＳ２０４肯定）、ＲＮ２２０との接続を解放する旨をＵＥ２３０に指示するＣｏｎｎｅｃｔｉｏｎ  Ｒｅｌｅａｓｅ信号を生成してＵＥ２３０へ通知する（ステップＳ２０５）。【００７０】
続いて、Ｃｏｎｎｅｃｔｉｏｎ  Ｒｅｌｅａｓｅ信号を受信したＵＥ２３０は、以下の処理を行う。すなわち、ＵＥ２３０は、内部のメモリに記憶された識別情報で識別されるＤｅＮＢ１１０ａに対して再接続を要求するＣｏｎｎｎｅｃｔｉｏｎ  Ｒｅ−ｅｓｔａｂｌｉｓｈｍｅｎｔ  Ｒｑｕｅｓｔ信号を生成する。そして、ＵＥ２３０は、ＵＥコンテキスト記憶部１３３に記憶されたＵＥ  ｃｏｎｔｅｘｔを含めたＣｏｎｎｅｃｔｉｏｎ  Ｒｅ−ｅｓｔａｂｌｉｓｈｍｅｎｔ  Ｒｅｑｕｅｓｔ信号をＤｅＮＢ１１０ａに対して送信する（ステップＳ２０６）。【００７１】
続いて、ＤｅＮＢ１１０ａは、受信したＣｏｎｎｅｃｔｉｏｎ  Ｒｅ−ｅｓｔａｂｌｉｓｈｍｅｎｔ  Ｒｅｑｕｅｓｔ信号に含まれるＵＥ  ｃｏｎｔｅｘｔがＵＥコンテキスト記憶部１１４に記憶されているため、以下の処理を実行する。すなわち、ＤｅＮＢ１１０ａは、ＵＥ２３０との再接続を許容することを決定し、その旨を示すＣｏｎｎｅｃｔｉｏｎ  Ｒｅ−ｅｓｔａｂｌｉｓｈｍｅｎｔ信号をＵＥ２３０に対して送信する（ステップＳ２０７）。【００７２】
続いて、ＵＥ２３０は、Ｃｏｎｎｅｃｔｉｏｎ  Ｒｅ−ｅｓｔａｂｌｉｓｈｍｅｎｔ信号を受信すると、Ｃｏｎｎｅｃｔｉｏｎ  Ｒｅ−ｅｓｔａｂｌｉｓｈｍｅｎｔ  Ｃｏｍｐｌｅｔｅ信号をＤｅＮＢ１１０ａに対して送信する（ステップＳ２０８）。これにより、ＤｅＮＢ１１０ａとＵＥ２３０との間にＲａｄｉｏ  Ｌｉｎｋ（無線リンク）＃３が設定され、ＵＥ２３０とＤｅＮＢ１１０ａとの再接続が成功する。【００７３】
上述してきたように、本実施例２では、通知部２２２ｃが、ＵＥ２３０とＲＮ２２０との無線リンクが確立された場合に、確立された無線リンクを通じてＤｅＮＢ１１０ａの識別情報をＵＥ２３０へ通知する。このため、本実施例１によれば、ＲＮ２２０とＤｅＮＢ１１０ａの無線リンクにＲＬＦが発生した場合に、ＲＮ２２０がＣｏｎｎｅｃｔｉｏｎ  Ｒｅｌｅａｓｅ信号にＤｅＮＢ１１０ａの識別情報を含める処理を省略することができる。その結果、ＲＮ２２０とＤｅＮＢ１１０ａの無線リンクにＲＬＦが発生してからＤｅＮＢ１１０ａとＵＥ２３０との無線リンクが設定されるまでの時間を短縮することができ、ＤｅＮＢ１１０ａとＵＥ２３０との再接続を迅速化することができる。
【実施例３】
【００７４】
上記実施例１では、ＲＮ１２０が、ＵＥ  ｃｏｎｔｅｘｔを保持するＤｅＮＢ１１０ａの識別情報をＵＥ１３０へ通知する場合について説明した。しかし、ＤｅＮＢが、自身で保持するＵＥ  ｃｏｎｔｅｘｔをＤｅＮＢに隣接する他のｅＮＢへ通知するようにしてもよい。そこで、以下では、このような例を実施例３として説明する。【００７５】
図６は、実施例３に係る無線通信システム３００の構成を示すブロック図である。なお、ここでは、図２に示した各部と同様の役割を果たす機能部については、同一の符号を付すこととしてその詳細な説明を省略する。図６に示すように、実施例３に係る無線通信システム３００は、ＤｅＮＢ３１０ａと、ＲＮ１２０と、ＵＥ３３０とを有する。【００７６】
図６に示したＤｅＮＢ３１０ａは、無線通信部１１１と、制御部３１２と、ＤｅＮＢ情報記憶部１１３と、ＵＥコンテキスト記憶部１１４とを有する。制御部３１２は、ＤｅＮＢ情報管理部１１２ａと、再接続決定部１１２ｂと、検出部３１２ｃと、情報通知部３１２ｄとを有する。【００７７】
検出部３１２ｃは、ＤｅＮＢ３１０ａとＲＮ１２０との間に確立された通信リンクのＲＬＦを検出する。例えば、検出部３１２ｃは、ＲＮ１２０から受信した信号の受信品質を監視し、受信品質が所定値以下となった場合に、ＤｅＮＢ３１０ａとＲＮ１２０との間に確立された無線リンクのＲＬＦを検出する。なお、受信品質には、例えば参照信号の受信パワーなどが含まれる。【００７８】
情報通知部３１２ｄは、ＤｅＮＢ３１０ａに隣接する他のｅＮＢである隣接ｅＮＢのリストを内部メモリに保持している。他のｅＮＢがＤｅＮＢ３１０ａに隣接するとは、ＤｅＮＢ３１０ａにより形成されるセルに隣接するセルを他のｅＮＢが形成していることを意味する。情報通知部３１２ｄは、内部メモリに保持されるリストを参照して、ＵＥコンテキスト記憶部１１４に記憶されたＵＥ３３０のＵＥ  ｃｏｎｔｅｘｔを隣接ｅＮＢへ通知する。具体的には、情報通知部３１２ｄは、検出部３１２ｃによりＲＮ１２０との無線リンクのＲＬＦが検出された場合に、ＵＥ３３０との再接続の準備を隣接ｅＮＢに対して指示する再接続準備指示信号を生成する。そして、情報通知部３１２ｄは、ＵＥコンテキスト記憶部１１４に記憶されたＵＥ３３０のＵＥ  ｃｏｎｔｅｘｔを、生成した再接続準備指示に含めて隣接ｅＮＢへ通知する。なお、ＵＥ３３０のＵＥ  ｃｏｎｔｅｘｔを受け付けた隣接ｅＮＢは、受け付けたＵＥ  ｃｏｎｔｅｘｔを自身のＵＥコンテキスト記憶部１１４に記憶する。【００７９】
図６に示したＵＥ３３０は、無線通信部１３１と、制御部３３２と、ＵＥコンテキスト記憶部１３３とを有する。制御部３３２は、受信信号判断部１３２ａと、再接続部３３２ｂとを有する。【００８０】
再接続部３３２ｂは、ＲＮ１２０によりＤｅＮＢ３１０ａの識別情報を通知される前にＲＮ１２０との接続が解放される場合には、ＤｅＮＢ３１０ａのセルおよび隣接ｅＮＢのセルから所定品質を満足するセルを再選択するセル再選択処理を行う。ここで、ＲＮ１２０によりＤｅＮＢ３１０ａの識別情報を通知される前にＲＮ１２０との接続が解放される場合とは、ＲＮ１２０からのＣｏｎｎｅｃｔｉｏｎ  Ｒｅｌｅａｓｅ信号にＤｅＮＢ３１０ａの識別情報が含まれていない場合を意味する。この場合には、再接続部３３２ｂは、セル再選択処理により再選択されたセルを形成するｅＮＢに対して再接続を要求するＣｏｎｎｅｃｔｉｏｎ  Ｒｅ−ｅｓｔａｂｌｉｓｈｍｅｎｔ  Ｒｅｑｕｅｓｔ信号を生成する。そして、再接続部３３２ｂは、ＵＥコンテキスト記憶部１３３に記憶されたＵＥ  ｃｏｎｔｅｘｔを含めたＣｏｎｎｅｃｔｉｏｎ  Ｒｅ−ｅｓｔａｂｌｉｓｈｍｅｎｔ  Ｒｅｑｕｅｓｔ信号を、再選択されたセルを形成するｅＮＢに対して送信する。【００８１】
ここで、Ｃｏｎｎｅｃｔｉｏｎ  Ｒｅ−ｅｓｔａｂｌｉｓｈｍｅｎｔ  Ｒｅｑｕｅｓｔ信号を受け付けたｅＮＢのＵＥコンテキスト記憶部１１４には、該信号に含まれるＵＥ３３０のＵＥ  ｃｏｎｔｅｘｔが事前に記憶されている。このため、Ｃｏｎｎｅｃｔｉｏｎ  Ｒｅ−ｅｓｔａｂｌｉｓｈｍｅｎｔ  Ｒｅｑｕｅｓｔ信号を受け付けたｅＮＢは、ＵＥ３３０との再接続を許容するＣｏｎｎｅｃｔｉｏｎ  Ｒｅ−ｅｓｔａｂｌｉｓｈｍｅｎｔ信号をＵＥ３３０に返信する。そして、再接続部３３２ｂは、Ｃｏｎｎｅｃｔｉｏｎ  Ｒｅ−ｅｓｔａｂｌｉｓｈｍｅｎｔ  Ｒｅｑｕｅｓｔ信号に応じたＣｏｎｎｅｃｔｉｏｎ  Ｒｅ−ｅｓｔａｂｌｉｓｈｍｅｎｔ信号をｅＮＢから受信する。すると、再接続部３３２ｂは、ｅＮＢとの再接続の完了を示すＣｏｎｎｅｃｔｉｏｎ  Ｒｅ−ｅｓｔａｂｌｉｓｈｍｅｎｔ  Ｃｏｍｐｌｅｔｅ信号をｅＮＢに対して送信する。これにより、ＵＥ３３０とｅＮＢとの再接続が成功し、ＵＥ３３０は、ｅＮＢとの無線通信を継続することができる。【００８２】
次に、実施例３に係る無線通信システム３００による再接続処理の流れを説明する。図７は、実施例３に係る無線通信システム３００による再接続処理の処理手順を示すシーケンス図である。なお、図７に示す例は、ＵＥ３３０とＲＮ１２０との間でＲａｄｉｏ  Ｌｉｎｋ（無線リンク）＃１が確立されており、ＲＮ１２０とＤｅＮＢ３１０ａとの間でＲａｄｉｏ  Ｌｉｎｋ（無線リンク）＃２が確立されている状態を示す。また、図７に示したｅＮＢ３１０ｂは、ＤｅＮＢ３１０ａに隣接する隣接ｅＮＢであるものとする。【００８３】
図７に示すように、ＤｅＮＢ３１０ａは、ＵＥ  ｃｏｎｔｅｘｔをＲＮ１２０を介してＵＥ３３０から取得してＵＥコンテキスト記憶部１１４に保持している（ステップＳ３０１）。そして、ＤｅＮＢ３１０ａは、ＤｅＮＢ３１０ａとＲＮ１２０との間に確立された無線リンク＃２のＲＬＦを検出する（ステップＳ３０２）。ＤｅＮＢ３１０ａは、無線リンク＃２のＲＬＦが検出されない場合には（ステップＳ３０２否定）、無線リンク＃１および無線リンク＃２を用いてＵＥ３３０との無線通信を継続する。【００８４】
一方、ＤｅＮＢ３１０ａは、無線リンク＃２のＲＬＦが検出された場合には（ステップＳ３０２肯定）、ＵＥコンテキスト記憶部１１４に記憶されたＵＥ３３０のＵＥ  ｃｏｎｔｅｘｔを隣接ｅＮＢであるｅＮＢ３１０ｂへ通知する（ステップＳ３０３）。そして、ＵＥ３３０のＵＥ  ｃｏｎｔｅｘｔを受け付けたｅＮＢ３１０ｂは、受け付けたＵＥ  ｃｏｎｔｅｘｔを自身のＵＥコンテキスト記憶部１１４に記憶する。【００８５】
また、ＲＮ１２０は、無線リンク＃２のＲＬＦを検出すると、ＲＮ１２０との接続を解放する旨をＵＥ３３０に指示するＣｏｎｎｅｃｔｉｏｎ  Ｒｅｌｅａｓｅ信号を生成してＵＥ３３０へ通知する（ステップＳ３０４）。【００８６】
続いて、ＵＥ３３０は、ＲＮ１２０からのＣｏｎｎｅｃｔｉｏｎ  Ｒｅｌｅａｓｅ信号にＤｅＮＢ３１０ａの識別情報が含まれていないため、ＤｅＮＢ３１０ａのセルおよびｅＮＢ３１０ｂのセルを含むセル群に対するセル再選択処理を行う（ステップＳ３０５）。そして、ＵＥ３３０は、セル再選択処理により再選択されたセルを形成するｅＮＢ３１０ｂに対して再接続を要求するＣｏｎｎｅｃｔｉｏｎ  Ｒｅ−ｅｓｔａｂｌｉｓｈｍｅｎｔ  Ｒｅｑｕｅｓｔ信号を生成する。そして、ＵＥ３３０は、ＵＥコンテキスト記憶部１３３に記憶されたＵＥ  ｃｏｎｔｅｘｔを含めたＣｏｎｎｅｃｔｉｏｎ  Ｒｅ−ｅｓｔａｂｌｉｓｈｍｅｎｔ  Ｒｅｑｕｅｓｔ信号をｅＮＢ３１０ｂに対して送信する（ステップＳ３０６）。【００８７】
続いて、ｅＮＢ３１０ｂは、受信したＣｏｎｎｅｃｔｉｏｎ  Ｒｅ−ｅｓｔａｂｌｉｓｈｍｅｎｔ  Ｒｅｑｕｅｓｔ信号に含まれるＵＥ  ｃｏｎｔｅｘｔがＵＥコンテキスト記憶部１１４に記憶されているため、以下の処理を実行する。すなわち、ｅＮＢ３１０ｂは、ＵＥ３３０との再接続を許容することを決定し、その旨を示すＣｏｎｎｅｃｔｉｏｎ  Ｒｅ−ｅｓｔａｂｌｉｓｈｍｅｎｔ信号をＵＥ３３０に対して送信する（ステップＳ３０７）。【００８８】
続いて、ＵＥ３３０は、Ｃｏｎｎｅｃｔｉｏｎ  Ｒｅ−ｅｓｔａｂｌｉｓｈｍｅｎｔ信号を受信すると、Ｃｏｎｎｅｃｔｉｏｎ  Ｒｅ−ｅｓｔａｂｌｉｓｈｍｅｎｔ  Ｃｏｍｐｌｅｔｅ信号をｅＮＢ３１０ｂに対して送信する（ステップＳ３０８）。これにより、ｅＮＢ３１０ｂとＵＥ３３０との間にＲａｄｉｏ  Ｌｉｎｋ（無線リンク）＃３が設定され、ＵＥ３３０とｅＮＢ３１０ｂとの再接続が成功する。【００８９】
上述してきたように、本実施例３では、ＵＥ３３０との無線通信に用いられるＵＥ  ｃｏｎｔｅｘｔを保持するＤｅＮＢ３１０ａが、ＵＥ  ｃｏｎｔｅｘｔを隣接ｅＮＢへ通知する。そして、ＵＥ３３０は、ＲＮ１２０によりＤｅＮＢ３１０ａの識別情報を通知される前にＲＮ１２０との接続が開放される場合に、ＤｅＮＢ３１０ａのセルおよび隣接ｅＮＢのセルに対してセル再選択処理を行う。そして、ＵＥ３３０は、セル再選択処理により再選択されたセルを形成するｅＮＢに対して再接続処理を行う。ＬＴＥ−Ａｄｖａｎｃｅｄ方式では、ＵＥからの再接続要求を受信したｅＮＢは、ＵＥ  ｃｏｎｔｅｘｔを保持している場合にのみ再接続要求に応じてＵＥとの無線通信の継続を許容することが規定されている。このため、本実施例３によれば、ＵＥ３３０がＵＥ  ｃｏｎｔｅｘｔを保持するｅＮＢに対して再接続処理を行うことで、ＲＮ１２０とＤｅＮＢ３１０ａとの間にＲＬＦが発生した場合でもＵＥ３３０が無線通信を継続することができる。【００９０】
また、本実施例３では、情報通知部３１２ｄは、ＲＮ１２０とＤｅＮＢ３１０ａとの無線リンクのＲＬＦが検出された場合に、再接続準備指示信号にＵＥ  ｃｏｎｔｅｘｔを含めて隣接ｅＮＢへ通知する。このため、本実施例３によれば、隣接ｅＮＢへの再接続の指示と併せてＵＥ  ｃｏｎｔｅｘｔを隣接ｅＮＢに効率的に通知することができる。
【実施例４】
【００９１】
上記実施例３では、ＲＮ１２０とＤｅＮＢ３１０ａの無線リンクにＲＬＦが発生した場合に、ＤｅＮＢ３１０ａがＵＥ  ｃｏｎｔｅｘｔを隣接ｅＮＢへ通知する場合について説明した。しかし、ＲＮ１２０とＤｅＮＢ３１０ａの無線リンクにＲＬＦが発生する時点よりも前にＤｅＮＢ３１０ａがＵＥ  ｃｏｎｔｅｘｔを隣接ｅＮＢへ予め通知するようにしてもよい。そこで、以下では、このような例を実施例４として説明する。【００９２】
図８は、実施例４に係る無線通信システム４００の構成を示すブロック図である。なお、ここでは、図６に示した各部と同様の役割を果たす機能部については、同一の符号を付すこととしてその詳細な説明を省略する。図８に示すように、実施例４に係る無線通信システム４００は、ＤｅＮＢ４１０ａと、ＲＮ１２０と、ＵＥ３３０とを有する。【００９３】
図８に示したＤｅＮＢ４１０ａは、無線通信部１１１と、制御部４１２と、ＤｅＮＢ情報記憶部１１３と、ＵＥコンテキスト記憶部１１４とを有する。制御部４１２は、ＤｅＮＢ情報管理部１１２ａと、再接続決定部１１２ｂと、検出部３１２ｃと、情報通知部４１２ｄとを有する。【００９４】
情報通知部４１２ｄは、ＤｅＮＢ４１０ａに隣接する他のｅＮＢである隣接ｅＮＢのリストを内部メモリに保持している。情報通知部４１２ｄは、ＤｅＮＢ４１０ａと隣接ｅＮＢとの接続が確立された場合に、ＵＥコンテキスト記憶部１１４に記憶されたＵＥ  ｃｏｎｔｅｘｔを隣接ｅＮＢへ通知する。具体的には、情報通知部４１２ｄは、無線通信部１１１により隣接ｅＮＢとの間に無線リンクが確立されると、確立された無線リンクを用いてＵＥ  ｃｏｎｔｅｘｔを隣接ｅＮＢへ通知する。【００９５】
また、情報通知部４１２ｄは、検出部３１２ｃによりＲＮ１２０との無線リンクのＲＬＦが検出された場合に、ＵＥ３３０との再接続の準備を隣接ｅＮＢに対して指示する再接続準備指示信号を生成する。そして、情報通知部４１２ｄは、ＵＥコンテキスト記憶部１１４に記憶されたＵＥ３３０のＵＥ  ｃｏｎｔｅｘｔを、生成した再接続準備指示信号に含めて隣接ｅＮＢへ通知する。なお、ＵＥ３３０のＵＥ  ｃｏｎｔｅｘｔを受け付けた隣接ｅＮＢは、受け付けたＵＥ  ｃｏｎｔｅｘｔを自身のＵＥコンテキスト記憶部１１４に記憶する。【００９６】
次に、実施例４に係る無線通信システム４００による再接続処理の流れを説明する。図９は、実施例４に係る無線通信システム４００による再接続処理の処理手順を示すシーケンス図である。なお、図９に示す例は、ＵＥ３３０とＲＮ１２０との間でＲａｄｉｏ  Ｌｉｎｋ（無線リンク）＃１が確立されており、ＲＮ１２０とＤｅＮＢ４１０ａとの間でＲａｄｉｏ  Ｌｉｎｋ（無線リンク）＃２が確立されている状態を示す。また、図９に示したｅＮＢ４１０ｂは、ＤｅＮＢ４１０ａに隣接する隣接ｅＮＢであるものとする。【００９７】
図９に示すように、ＤｅＮＢ４１０ａは、ＵＥ  ｃｏｎｔｅｘｔをＲＮ１２０を介してＵＥ３３０から取得してＵＥコンテキスト記憶部１１４に保持している（ステップＳ４０１）。続いて、ＤｅＮＢ４１０ａは、ｅＮＢ４１０ｂの間に無線リンクを確立し、確立した無線リンクを用いてＵＥ３３０のＵＥ  ｃｏｎｔｅｘｔをｅＮＢ４１０ｂへ通知する（ステップＳ４０２）。そして、ＵＥ３３０のＵＥ  ｃｏｎｔｅｘｔを受け付けたｅＮＢ４１０ｂは、受け付けたＵＥ  ｃｏｎｔｅｘｔを自身のＵＥコンテキスト記憶部１１４に記憶する。【００９８】
続いて、ＤｅＮＢ４１０ａは、ＤｅＮＢ４１０ａとＲＮ１２０との間に確立された無線リンク＃２のＲＬＦを検出する（ステップＳ４０３）。ＤｅＮＢ４１０ａは、無線リンク＃２のＲＬＦが検出されない場合には（ステップＳ４０３否定）、無線リンク＃１および無線リンク＃２を用いてＵＥ３３０との無線通信を継続する。【００９９】
一方、ＤｅＮＢ４１０ａは、無線リンク＃２のＲＬＦが検出された場合には（ステップＳ４０３肯定）、ＵＥ３３０との再接続の準備を指示する再接続準備指示信号を生成してｅＮＢ４１０ｂへ通知する（ステップＳ４０４）。そして、再接続準備指示信号を受け付けたｅＮＢ４１０ｂは、ＵＥ３３０との再接続に備えてＵＥ３３０からの送信電波の捕捉を開始する。【０１００】
また、ＲＮ１２０は、無線リンク＃２のＲＬＦを検出すると、ＲＮ１２０との接続を解放する旨をＵＥ３３０に指示するＣｏｎｎｅｃｔｉｏｎ  Ｒｅｌｅａｓｅ信号を生成してＵＥ３３０へ通知する（ステップＳ４０５）。【０１０１】
続いて、ＵＥ３３０は、ＲＮ１２０からのＣｏｎｎｅｃｔｉｏｎ  Ｒｅｌｅａｓｅ信号にＤｅＮＢ４１０ａの識別情報が含まれていないため、ＤｅＮＢ４１０ａのセルおよびｅＮＢ４１０ｂのセルを含むセル群に対するセル再選択処理を行う（ステップＳ４０６）。そして、ＵＥ３３０は、セル再選択処理により再選択されたセルを形成するｅＮＢに対して再接続を要求するＣｏｎｎｅｃｔｉｏｎ  Ｒｅ−ｅｓｔａｂｌｉｓｈｍｅｎｔ  Ｒｅｑｕｅｓｔ信号を生成する。そして、ＵＥ３３０は、ＵＥコンテキスト記憶部１３３に記憶されたＵＥ  ｃｏｎｔｅｘｔを含めたＣｏｎｎｅｃｔｉｏｎ  Ｒｅ−ｅｓｔａｂｌｉｓｈｍｅｎｔ  Ｒｅｑｕｅｓｔ信号をｅＮＢ４１０ｂに対して送信する（ステップＳ４０７）。【０１０２】
続いて、ｅＮＢ４１０ｂは、受信したＣｏｎｎｅｃｔｉｏｎ  Ｒｅ−ｅｓｔａｂｌｉｓｈｍｅｎｔ  Ｒｅｑｕｅｓｔ信号に含まれるＵＥ  ｃｏｎｔｅｘｔがＵＥコンテキスト記憶部１１４に記憶されているため、以下の処理を実行する。すなわち、ｅＮＢ４１０ｂは、ＵＥ３３０との再接続を許容することを決定し、その旨を示すＣｏｎｎｅｃｔｉｏｎ  Ｒｅ−ｅｓｔａｂｌｉｓｈｍｅｎｔ信号をＵＥ３３０に対して送信する（ステップＳ４０８）。【０１０３】
続いて、ＵＥ３３０は、Ｃｏｎｎｅｃｔｉｏｎ  Ｒｅ−ｅｓｔａｂｌｉｓｈｍｅｎｔ信号を受信すると、Ｃｏｎｎｅｃｔｉｏｎ  Ｒｅ−ｅｓｔａｂｌｉｓｈｍｅｎｔ  Ｃｏｍｐｌｅｔｅ信号をｅＮＢ４１０ｂに対して送信する（ステップＳ４０９）。これにより、ｅＮＢ３１０ｂとＵＥ３３０との間にＲａｄｉｏ  Ｌｉｎｋ（無線リンク）＃３が設定され、ＵＥ３３０とｅＮＢ４１０ｂとの再接続が成功する。【０１０４】
上述してきたように、本実施例４では、情報通知部４１２ｄが、ＤｅＮＢ４１０ａとＲＮ１２０との無線リンクが確立された場合に、確立された無線リンクを用いてＵＥ  ｃｏｎｔｅｘｔを隣接ｅＮＢへ通知する。このため、本実施例４によれば、ＲＮ１２０とＤｅＮＢ４１０ａの無線リンクにＲＬＦが発生した場合に、ＤｅＮＢ４１０ａが再接続準備指示信号にＵＥ  ｃｏｎｔｅｘｔを含める処理を省略することができる。その結果、ＲＮ１２０とＤｅＮＢ４１０ａの無線リンクにＲＬＦが発生してから隣接ｅＮＢとＵＥ３３０との無線リンクが設定されるまでの時間を短縮することができ、隣接ｅＮＢとＵＥ３３０との再接続を迅速化することができる。
【符号の説明】
【０１０５】
１００、２００、３００、４００  無線通信システム
１１０  ｅＮＢ
１１０ａ、３１０ａ、４１０ａ  ＤｅＮＢ
１２０、２２０  ＲＮ
１３０、２３０、３３０  ＵＥ
１１１、１２１、１３１  無線通信部
１１２、１２２、１３２、２２２、２３２、３１２、３３２、４１２  制御部
１１２ａ  ＤｅＮＢ情報管理部
１１２ｂ  再接続決定部
１１３、１２３  ＤｅＮＢ情報記憶部
１１４、１３３  ＵＥコンテキスト記憶部
１２２ａ  取得部
１２２ｂ、３１２ｃ  検出部
１２２ｃ、２２２ｃ  通知部
１３２ａ  受信信号判断部
１３２ｂ、２３２ｂ、３３２ｂ  再接続部
１４０  ネットワーク
３１２ｄ、４１２ｄ  情報通知部
【図１】
2012095966.tif 000003
【図２】
2012095966.tif 000004
【図３】
2012095966.tif 000005
【図４】
2012095966.tif 000006
【図５】
2012095966.tif 000007
【図６】
2012095966.tif 000008
【図７】
2012095966.tif 000009
【図８】
2012095966.tif 000010
【図９】
2012095966.tif 000011
【国際調査報告】
2012095966.tif 000012
2012095966.tif 000013